(57)【要約】変圧器（２０）の各相内に取り付けられたタップスイッチ（１０）を使用して電力用変圧器（２０）のような生きた電力設備における診断業務を実施するシステム及び方法である。変圧器（２０）が通電状態かつ使用中であるときに診断業務を実行するために、試験測定システム（４０）に接続された適切な試験測定設備（６０）とともにタップスイッチ（１０）が使用される。タップスイッチ（１０）により、試験測定設備（６０）に接続し戻すためにブッシングタップ（２１）の接続を外す危険なしに診断業務を実行することができる。タップスイッチ（１０）は、部分放電及び周波数応答のような診断業務を使用して有り得る故障の早期確認のための生き診断の試験測定を提供する。そこで、電力用変圧器（２０）の運転中にタップスイッチ（１０）を使用して変圧器（２０）について生き診断を行うことができ、停止時間の、従って費用の低減が得られる。
2005501263.tif 000002
【特許請求の範囲】
【請求項１】
使用中の電力用変圧器における生きた診断業務の実行を許すためのタップスイッチであって、
前記電力用変圧器の各相と試験測定システムとの間に配置されたタップスイッチを備え、前記タップスイッチは、
閉位置において選択的に接地される第１のスイッチ、及び
閉位置において選択的に前記試験測定システムに接続される第１のスイッチ
を備え、
前記第１のスイッチは前記第２のスイッチが閉じられたときに開かれ、そして
前記第１のスイッチは前記第２のスイッチが開かれたときに閉じられる
タップスイッチ。
【請求項２】
前記タップスイッチが、
前記第１のスイッチが閉じられかつ前記第２のスイッチが開かれる非診断位置と、
前記第１のスイッチが開かれかつ前記第２のスイッチが閉じられる診断位置
との間で選択的に切り替えられる請求項１のタップスイッチ。
【請求項３】
前記タップスイッチの各が、前記電力用変圧器に接続された入力リード線及び前記試験測定システムに接続された出力リード線を更に備える請求項１のタップスイッチ。
【請求項４】
前記入力リード線の各が前記電力用変圧器の一つの相のブッシングタップに接続される請求項３のタップスイッチ。
【請求項５】
前記タップスイッチが前記電力用変圧器に取り付けられる請求項１のタップスイッチ。
【請求項６】
電力用変圧器におけるオンライン診断業務を実行するためのシステムであって、
１以上の相を有する電力用変圧器、
前記電力用変圧器の各相に接続されたタップスイッチ、
前記電力用変圧器がオンラインにおいて作動中に前記電力用変圧器における１以上の診断業務を実行するために前記タップスイッチに接続された試験測定システム
を備えるシステム。
【請求項７】
前記電力用変圧器が３相及び３個のタップスイッチを有し、前記電力用変圧器の各相に１個のタップスイッチが取り付けられる請求項６のシステム。
【請求項８】
請求項１のシステムであって、前記タップスイッチが
第１のスイッチ、及び
第２のスイッチ
を更に備え、
前記第１のスイッチは前記第２のスイッチが開かれたときに閉じられ、これにより前記変圧器が接地された非診断位置を定め、
前記第１のスイッチは前記第２のスイッチが閉じられたときに開かれ、これにより前記変圧器が診断業務の実行のために前記試験測定システムに接続される診断位置を定める
システム。
【請求項９】
前記スイッチが、前記非診断位置と前記診断位置との間を選択的に切り替えられる請求項８のシステム。
【請求項１０】
前記電力用変圧器の各相にブッシングタップを更に備え、前記電力用変圧器の各ブッシングタップ内に１個のタップスイッチが挿入される請求項６のシステム。
【請求項１１】
火花放電を防ぐために前記ブッシングタップを終わるために各ブッシングタップに電気的に結合されたコンデンサーを更に備える請求項６のシステム。
【請求項１２】
前記試験測定システムが部分放電の試験測定システムを更に備える請求項６のシステム。
【請求項１３】
前記試験測定システムが周波数応答の試験測定システムを更に備える請求項６のシステム。
【請求項１４】
前記変圧器、前記タップスイッチ、及び前記試験測定システムが接地され、前記タップスイッチを跨ぐスパークを防ぐために前記第１のスイッチ及び前記第２のスイッチの少なくも一方が常に閉じられる請求項６のシステム。
【請求項１５】
タップスイッチを使用して使用中の電力用変圧器における生きた診断業務を実行する方法であって、
電力用変圧器の各相にタップスイッチを挿入し、
前記タップスイッチに試験測定システムを接続し、
前記タップスイッチを、前記変圧器が前記タップスイッチを経て接地される非診断位置から前記変圧器が前記タップスイッチを経て前記試験測定システムに接続される診断位置に切り替え、
前記生きている使用中の電力用変圧器における診断業務を実行し、更に
前記タップスイッチを、前記診断位置から前記非診断位置に切り替える
諸段階を含む方法。
【請求項１６】
各タップスイッチにおいて並列構成に配置された第１及び第２のスイッチを設け、
前記電力用変圧器の各相におけるブッシングタップに各タップスイッチの入力を接続し、
前記診断業務を実行するために使用される前記試験測定システムに前記タップスイッチの出力を接続し、更に
前記タップスイッチの前記第１のスイッチと前記第２のスイッチとをそれぞれ開閉することにより前記診断位置と前記非診断位置との間を選択的に切り替える
諸段階を更に含む請求項１５の方法。
【請求項１７】
前記タップスイッチを前記診断位置に置くために前記第２のスイッチを閉じかつ前記第１のスイッチを開き、更に
前記タップスイッチを前記非診断位置に置くために前記第１のスイッチを閉じかつ前記第２のスイッチを開く
諸段階を更に含む請求項１６の方法。
【請求項１８】
前記診断業務として部分放電及び周波数応答試験の一方を実行する段階を更に含む請求項１５の方法。
【請求項１９】
前記タップスイッチを経て前記電力用変圧器に接続された前記試験測定システムを使用して前記電力用変圧器の故障前状態を示すデータを集める段階を更に含む請求項１５の方法。
【請求項２０】
火花放電を防ぐために前記タップスを接地し又は容量負荷により終わる段階を更に含む請求項１５の方法。
【発明の詳細な説明】
【技術分野】
【０００１】
本発明は、一般に電力システムに関し、特に電力用変圧器の診断業務に関する。
【背景技術】
【０００２】
自由化された電力事業においては、電力用変圧器のような電気設備の診断業務についての多くの要求がある。これら診断業務の多くは、現在では電気設備（例えば変圧器）の停止、使用中止を必要とし、これは電力会社にとり費用が嵩む。電力用変圧器の有り得る故障の早期警告を確認するために使用し得る典型的な診断業務は、部分放電（ＰＤ）及び周波数応答である。しかし、診断業務を実行するための通常の技法は、要求された診断業務の実行のために、典型的に電力設備の停止及びオフラインで行うことを必要とする。
【０００３】
電力設備内の電気的な故障の予兆は絶縁部品の化学的及び機械的な破壊の急増を起こすことがあり、修理しなければ、これらの電気故障の予兆は最終的には装置の故障を起こす可能性がある。これら内部的事象の可能性を減らすために多くの予防的な測定がなされるが、電気故障の予兆は電力設備においてまだ存在する。
【０００４】
例えば、部分放電（ＰＤ）は、電気故障の予兆の最初の要素であり、典型的に可聴の事象が伴う。この現象は、放電の検出及び位置決めの幾つかの通常の音響的技術の基礎として働く。しかし、放電事象の検出及び位置決めのための通常の技術は、典型的に、所要の診断試験及び／又は測定を行うために電力用変圧器のような電力設備の停止、使用中止を必要とする。
【０００５】
認め得るように、電力設備を停止に導く内部事象の可能性を検出するための通常の診断業務は、所要の診断業務の実行のために電力設備を停止させ又はオフラインで行うという事実のため、非常に侵襲性でありかつ費用が嵩む。装置を停止させ、送電を中止させることが作業員の負担となり、更に設備休止時間を増し費用を大きくする。従って、設備を停止させることなく又は設備を使用しないようにすることなく、電力設備における内部故障の可能性を検出するために診断業務を行う新規な正確かつ簡単な方法に対する要求がある。
【発明の開示】
【課題を解決するための手段】
【０００６】
本発明は、電力用変圧器のような電力設備における診断業務を実行するための装置、システム、及び方法であって、電力用変圧器の各相内に挿入されるタップスイッチを使用し、運転中でかつオンラインにある間の診断業務の実行を許す前記の装置、システム、及び方法に向けられる。
【０００７】
装置は、試験測定設備の一部品を電力用変圧器に接続し、かつ変圧器が運転中でかつオンラインにある間に電力用変圧器について診断業務を実行し得る取付け形のタップスイッチを備える。タップスイッチは、タップスイッチが変圧器を接地するように接続する非診断位置とタップスイッチが変圧器を試験測定システムに接続する診断位置との間でタップスイッチを選択的に切り替えるための第１のスイッチと第２のスイッチとを備える。
【０００８】
非診断位置においては、第１のスイッチは閉じられ、かつ第２のスイッチは開かれる。診断位置に切り替えるために、第２のスイッチが閉じられ、次いで第１のスイッチが開かれる。非診断位置に戻すには、第１のスイッチが閉じられ、次いで第２のスイッチが開かれる。ブッシングタップを跨ぐ火花放電を防ぐために、好ましくは、第１及び第２のスイッチの少なくも一方が常に閉じられる。また、試験測定設備は、好ましくは、容量結合によりブッシングタップから終わりにされる。
【０００９】
タップスイッチは、電力用変圧器と試験測定システムとの間に配置されこの間の電気接続を選択的に形成し、従って、適用し得る診断装置は生きているオンラインの変圧器において診断の実行ができる。
【００１０】
本発明の別の実施例により、使用中の生きている電力用変圧器において診断業務を実行するためのシステムは、電力用変圧器、タップスイッチ、及び試験測定システムを含む。電力用変圧器は、１以上の相及び各相用のブッシングタップを備える。タップスイッチは、ブッシングタップを経て各相に結合される。タップスイッチは、接地位置（例えば非診断位置）と試験測定位置（試験位置）との間を選択的に切り替えるために第１のスイッチと第２のスイッチとを備える。試験測定システムは、変圧器における診断の試験及び／又は測定を行うためにタップスイッチを経て変圧器に接続することができる。
【００１１】
好ましくは、変圧器は、中程度の電力又はそれ以上を有する大型の電力用変圧器を含む。好ましくは、電力用変圧器は３相変圧器である。
【００１２】
好ましくは、タップスイッチは、変圧器のハウジング上に取り付けられ、そしてタップスイッチを変圧器のブッシングタップに結合するための入力リード線、及びタップスイッチを試験測定システムに結合するための出力リード線を備える。
【００１３】
好ましくは、試験測定システムは、変圧器の或る状態を示すデータを集めるために、種々の試験測定装置を試験測定システムに着脱自在に結合させることを許す接続具を備える。
【００１４】
タップスイッチを使用して運転中の生きた変圧器において実行し得る典型的な診断業務は、部分放電及び周波数応答の試験測定の一方を含む。
【００１５】
本発明の別な実施例により、電力用変圧器の各相にタップスイッチを配置し、試験測定システムをタップスイッチに接続し、タップスイッチを非診断位置から診断位置に切り替え、変圧器における診断業務を実行し、タップスイッチを診断位置から非診断位置に切り替える諸段階を含み、診断業務の実行中、変圧器が生きてオンライン状態にあるタップスイッチ使用のオンライン診断業務の実行方法が提供される。
【００１６】
本方法は、タップスイッチ内に並列構成で配列された第１のスイッチと第２のスイッチであって、第１のスイッチは第２のスイッチが閉じられたときに開かれ、第２のスイッチは第１のスイッチが閉じられたときに開かれる前記第１スイッチときに第２のスイッチを設け、タップスイッチの入力を電力用変圧器の各相のブッシングタップに接続し、タップスイッチの出力を診断業務の実行のために使用される試験測定システムに接続し、タップスイッチの第１のスイッチ及び／又は第２のスイッチの開閉により診断位置と非診断位置との間で選択的に切り替えることを更に含む。
【００１７】
本発明の別の態様により、本方法は、試験測定システムに接続された試験測定装置を使用する電力用変圧器の故障の予兆状態に関するデータを集める段階を更に含む。
【００１８】
本発明の別の態様により、本方法は、部分放電及び周波数応答試験の一方を実行することを更に含む。
【００１９】
本発明のその他の特徴は、以下説明される。
【００２０】
以上の概要、並びに好ましい実施例に以下の詳細な説明は、付属図面に関連して読まれたときにより良く理解されるであろう。本発明の図解の目的で、図面に好ましい実施例が示されるが、本発明は、明らかにされた特定の方法及び手段には限定されない。
【実施例】
【００２１】
本発明はその変圧器を遮断したり或いは該変圧器をオフラインにすることなく電力用変圧器の診断サービスを助けるために電力用変圧器２０の各相に設置されるタップスイッチ１０に関する。該タップスイッチ１０は、該変圧器が生きて（live）、作動して（in-service）いながら、望まれる診断テストを完了するために、適当な診断用試験測定システム４０と共に使用される。本発明の該タップスイッチ１０は該変圧器２０内で起こりうる故障の早期警告兆候（earlywarning sign）を識別するために生きた変圧器（live transformer）２０について診断サービスを行うためのシステムと方法を提供する。
【００２２】
タップスイッチ１０は、該変圧器２０が生きている時該変圧器２０のブッシングタップ（bushing tap）２１を通して部分放電（partial discharg）と周波数応答（frequency response）について試験し、それらを測定することを含めて、診断サービスを行うために、該試験測定システム４０を通して接続された適当な試験測定機器６０と共に使用されるよう電力用変圧器２０の各相に設置される。該タップスイッチ１０はそれを該試験測定システム４０に戻し接続するために該ブッシングタップ２１を切り離す（disconnecting）危険を取り除く。又、該診断サービス（複数を含む）は設置時又は修理後に行うことも出来て、周期的に繰り返すことも出来る。もし該診断サービスが、該変圧器２０がその状況の急激な差異を示すことを指示すれば、それは、更に進んだ試験を行う及び／又は該変圧器２０を修理用に作動から外すべき時であるかも知れない。
【００２３】
該電力機器２０がなお生きて、作動していながら診断サービスを行うためにタップスイッチ１０を使う幾つかの利点は、該診断サービスを行うために該変圧器が遮断されたり、タグアウト（tagged-out）されたりそして送電系統（grid）から離されたりしないので、より少ないマンパワーしか要しないこと、該変圧器２０のための休止時間の減少、該試験測定システム４０への該試験測定機器６０の簡単な設置、該タップスイッチ１０生産を含めた低いコスト、等である。
【００２４】
図１は本発明の電力機器の生きた部片（live piece）上で診断の試験測定を行うためのタップスイッチ１０を有する例示的電力装置２０を示す。図１に示す様に、該電力装置２０は配電又は送電変圧器の様な、電力用変圧器を含む。好ましくは、該変圧器２０は中間的電力以上を有する大型電力用変圧器を含むのがよい。該変圧器２０は例えば、単相又は３相変圧器の様な、何相であることも可能である。図１に示す様に、該変圧器２０はハウジング（housing）又は囲い（enclosure）２２と、該ハウジング２２上に設置されたタップスイッチ１０を有する。該タップスイッチ１０は従来の技術を用い該変圧器２０のハウジング２２に設置出来る。図１に示す様に、該試験測定システム４０と該試験測定デバイス６０は２つの別のユニットであるが、しかしながら、それらが単一ユニット（示されてない）に集積化され得ることも考慮されている。
【００２５】
図２は図１の電力用変圧器２０の断面図を示す。図２に示す様に、該ハウジング２２はコア及びコイル、他の様な内部電気部品２４を受け入れるためのキャビテイ（cavity）２３を規定する。好ましくは該ハウジング２２はシールされたハウジングであるのがよい。該キャビテイ２３は、例えば、オイル、空気、圧縮空気、真空、固体絶縁物、ゴム、プラスチック、ペーパー、ポリウレタン等を含む、固体、流体、又は気体媒体の様な媒体２５で充填されるのが典型的である。該媒体２５は、該変圧器２０により発生される熱を、該熱が周囲大気へ放出され得る外部のラジエーター状表面２６へ伝送するために、該コイルを通して循環されるのが好ましい。
【００２６】
図３は図１の該変圧器２０の１つの例示的相の断面図を示す。図３に示す様に、該ブッシングタップ２１はワイヤコネクター２９を介してシリンダー２８に接続されるタップコネクター２７を有する。シリンダー２８は高電圧ワイヤ３１の周りに配置された金属パイプ３０を囲む。磁器又はポリマーの様な絶縁体（insulator）３２が該シリンダー２８の周りに配置され、第２絶縁体３３が該シリンダー２８と該金属パイプ３０の間に配置される。図３に示す構成は本発明を実施する１つの例示的方法であり、他の適当な構成も該ブッシングタップへの該タップスイッチ接続を実施するために使用出来る。
【００２７】
図４は、診断サービスを行うための電力用変圧器２０，タップスイッチ１０，そして試験測定システム４０を有する例示的電力システム５０を示す。該タップスイッチ１０は該電力用変圧器２０と該試験測定システム４０の間に電気的に接続される。入力リード４１は該タップスイッチ１０を該電力用変圧器２０に接続し、出力リード４２は該タップスイッチ１０を該試験測定システム４０に接続する。該変圧器２０，タップスイッチ１０，そして試験測定システム４０は各々接地される。好ましくは、普通の接地物４３が該変圧器２０，タップスイッチ１０、そして試験測定システム４０を接続し、接地するのがよい。
【００２８】
該タップスイッチ１０が該診断サービス位置へスイッチされると、該電力用変圧器２０は動作しており、オンラインにありながら、該試験測定システム４０は適用可能な診断サービスを行うことが出来る。好ましくは、該試験測定システム４０は、該試験測定システム４０の互換性（interchangeability）が、該電力用変圧器について行われる種々の診断サービスに適合することを可能にするために、該タップスイッチ１０に取り外し可能に接続されるのがよい。例示的試験測定はピーデー及び周波数応答を含む。
【００２９】
図５と６は、該電力用変圧器２０のブッシングタップ２１と該試験測定システム４０の間に接続された例示的タップスイッチ１０を示す。タップスイッチ１０は該変圧器２０の各相に設置される。図５と６で示す様に、各タップスイッチ１０は第１スイッチＳＷ１と第２スイッチＳＷ２を含む。
【００３０】
図５は非診断位置４５にあるタップスイッチ１０を示す。図５に示す様に、該タップスイッチ１０が該非診断位置４５にある時は、該第１スイッチＳＷ１は閉じ、該第２スイッチＳＷ２は開いている。従って、該試験測定システム４０は該電力用変圧器２０から切り離されて、該ブッシングタップは該第１スイッチＳＷ１を通して大地へ接続される。
【００３１】
図６は診断位置４６にある該タップスイッチ１０を示す。図６に示す様に、該タップスイッチ１０が該診断位置４６にある時は、該第１スイッチＳＷ１は開いており、該第２スイッチＳＷ２は閉じている。従って、該試験測定システム４０は該電力用変圧器２０に接続される。
【００３２】
該非診断位置４５と診断位置４６の間でスイッチする時、該タップスイッチ１０は、火花放電（sparking）を防止するために少なくとも１つのスイッチが常に閉じるよう動作する。それで、該非診断位置４５から診断位置４６へスイッチする時、ＳＷ２が最初に閉じられ、次いでＳＷ１が開かれる。同様に、該診断位置４６から非診断位置４５へスイッチする時、ＳＷ１が最初に閉じられ、次いでＳＷ２が開かれる。
【００３３】
電力用変圧器２０はそれらの絶縁が良好な作動条件にあることを保証するために周期的試験（periodic testing）を要する。部分放電（ピーデー）と周波数応答の試験は変圧器試験用の良く知られた方法である。典型的にこれらの診断サービスは該ブッシングタップ２１を試験測定システム４０（例えばインピーダンスボックス）に接続することを要し、該システムは下記を含む幾つかの機能を有する：
１．該ブッシングタップ用の容量装荷（capacitive loading）を提供すること。
【００３４】
２．高周波ピーデーと５０／６０Ｈｚ交流用の信号分離を提供する。
【００３５】
３．クリーンでコヒーレントな信号用の信号調整（signal conditioning）を提供する。
典型的に、該試験測定システム４０からの出力信号はＡ−Ｄ変換器｛エイデーシー（ADC）｝と記憶及び／又は解析用コンピュータ（示されてない）へ供給される。
【００３６】
該変圧器２０が動作している時、該ブッシングタップ２１は接地されるか又は容量性負荷により成端させられるか何れかであり、さもなければそれは望ましくない危険な電弧（arc）を創生する。図４に示す様に、好ましくは、該電力用変圧器２０，該タップスイッチ１０，そして該試験測定システム４０を接地するために共通の接地４３が提供されるのがよい。
【００３７】
図５と６の該タップスイッチ１０は、該変圧器２０がエネルギーを与えられた時該非診断位置４５（図５に示される）の該接地されたブッシングタップを診断位置４６（図６に示される）の該試験測定システム４０へスイッチすることが出来るのが好ましい。好ましくは、より恒久的なベースでより高価な試験測定システム４０を設置せねばならぬことを避けるためにタップスイッチ１０が恒久的に該ブッシングタップ内に置かれるのがよい。
【００３８】
本発明の該タップスイッチ１０を使って行い得る１つの例示的診断試験は、該変圧器が生きている時該ブッシングタップを通して測定され得る部分放電（ピーデー）を含む。ピーデー測定は、ピーデーの近傍での電気的先行絶縁破壊の展開を識別するため使うことが出来る。ピーデーは電力機器での電気的絶縁破壊の初期部分であり、通常音響的イベントにより随伴される。この現象はピーデーの様な、電気的放電を検出し、標定する音響的技術の基礎として役立つ。かくして、該タップスイッチと本発明の方法とを使用することにより、該変圧器は動作しており、電力機器をオフラインにすることがない間に診断試験が行われ得る。これは、該機器が遮断されたり、オフラインにされる必要がなく、それはマンパワーとコストを節約すると言う事実を含め、多数の利点を提供する。
【００３９】
部分放電試験は、インピーダンスボックスの様な試験測定システム４０を該タップスイッチ１０に接続することにより行い得る。該タップスイッチ１０が図５の非診断位置４５から図６の診断位置４６へフリップ（flipped）される時、該試験測定システム４０は該タップスイッチ１０を通して該ブッシングタップへ接続されるであろう。該試験測定システム４０は適当に接地されねばならず、該タップスイッチ１０がフリップされた後該試験測定システム４０は、ピーデー試験メーターの様な、適用可能な試験及び／又は測定デバイス６０（図１参照）へ接続されることが可能である。
【００４０】
ピーデーの校正（calibration）は典型的に該変圧器２０の電気的遮断後の行われる。しかしながら、オンラインのピーデーの試験測定を行う本発明の該タップスイッチ１０を使用して、該システムが生きている時に該校正が達成され得る。これは、例えば、高電圧校正カプラー（highvoltage calibration coupler）又は該高電圧ライン上に設置されたシーテー（CT）を使用することにより達成出来る。代わりに、該測定が該変圧器の設置に際して校正されることも可能で、校正パラメーターは測定中使用されるために記憶されることが可能である。その目的は該変圧器が設置され全ての接続が設置された後、送電系統電圧（gridvoltage）を使用して該ピーデー試験を行うことである。
【００４１】
該試験測定データは、例えば、ピコクーロン（Pico Coulombs）と、位相角に対する放電位置を写像するピーデーマップの形で記憶され得る。後で周期的試験が行われた時比較が行えて、該試験器（tester）は続く測定間で測定結果の何等かの差を決定出来るであろう。
【００４２】
本発明のタップスイッチ１０を用いて行えるもう１つの例示的診断試験は周波数応答を含んでおり、それも又該変圧器２０が生きている時に該ブッシングタップ２１を通して測定出来る。この試験は、該ブッシングタップ２１を通して行えるが、それは該タップが高電圧ラインと容量性結合を有するからである。該ブッシングタップ２１は、該試験測定システム４０の入力を跨いで火花放電が起こらないことを保証するためにキャパシター（示されてない）により成端されるべきである。該入力は何れかの相に接続され得て、そのリードバックは他の相の何れかに接続され得る（The input can be connected to either phase and the read-back can beconnected to either of other phases）。部分放電測定用の場合がそうである様に、周波数応答用試験は設置時に行われ得て、後刻の試験と比較され得る。該試験結果は、例えば、Ａ−Ｂ、Ａ−Ｃ、Ｂ−Ａ、Ｂ−Ｃ、Ｃ−Ａ、そしてＣ−Ｂの形であり、そこでは第１文字が入力信号が接続される相を代表し、第２文字が該出力又はリードバック信号が接続される相を代表する。又この方法は該試験を速め人的誤差を減らすために自動化され得る。
【００４３】
生きた状態での、オンラインの診断サービスを行う該装置、システム及び方法は、必要な診断の試験及び／又は測定を行うために該電力機器が遮断され、オフラインとされることを典型的に要求する従来のシステムに勝る改良である。該タップスイッチ１０はオンラインの電気機器２０の生きた診断サービスを提供し、それは電力会社にコスト節約を提供する。これは、送電系統（power grid）（示されてない）からの変圧器切り離しの解消による、利用での少ない休止時間と少ない試験時間に帰着する、電力機器２０がなお動作しており、作動中である事実のために、充分な労働とコストの節約に導く。
【００４４】
図７は、タップスイッチを使って、動作しており、作動中の電力用変圧器に関して診断サービスを行う例示的方法のフローチャートを示す。図７に示す様に、該例示的方法１００は：過程１０５で、タップスイッチを電力用変圧器の各相に設置し、過程１１０で、試験測定システムを該タップスイッチに接続し、過程１１５で、該タップスイッチを非診断位置から診断位置へスイッチし、過程１２０で、該変圧器について診断サービスを行い、そして過程１２５で、該タップスイッチを該診断位置から該非診断位置へスイッチする、ことを含む。
【００４５】
過程１３０で、該試験測定システムは切り離される。追加的試験が望まれる／必要とされるかどうかに関して、決定が過程１３５で行われる。もしイエスなら、該方法は過程１１０へ戻り続けられる。もしノーなら、該方法は終わり、該変圧器の普通の動作が過程１４０で再開される。
【００４６】
本方法は更に並列構成で配置された該タップスイッチ内の第１スイッチ及び第２スイッチを提供する過程を含んでおり、該第２スイッチが閉じている時該第１スイッチは開いており、そしてその逆も存在する。タップスイッチの入力は該電力用変圧器の各相でブッシングタップに接続され、該タップスイッチの出力は、該診断サービスを行うため使用される該試験測定システムに接続される。該タップスイッチは、該タップスイッチの該第１スイッチ及び／又は第２スイッチを閉じる及び開くことにより診断位置と非診断位置の間を選択的にスイッチされる。
【００４７】
本方法は更に、該試験測定システムに接続された試験測定デバイスを使って、該電力用変圧器の先行絶縁破壊条件を示すデータを集める過程を含む。該方法は更に、部分放電と周波数応答試験の１つを行う過程を含む。
【００４８】
本発明の該タップスイッチは新しく製造された変圧器上に置かれるのみならず既に作動中の現在の変圧器上に置かれることも可能である。
【００４９】
しかしながら、本発明の数多くの特徴と利点が、本発明の構造と機能の詳細と共に、前記説明で表明されたが、該開示は図解用に過ぎず、付属する請求項が表される用語の広く一般的な意味で示された充分な程度での本発明の原理内では、特に形状、寸法及び部品配置の問題での詳細への変更が行われてもよいことは理解されるべきである。
【図面の簡単な説明】
【００５０】
【図１】例示的な電力用変圧器を示す。
【図２】図１の電力用変圧器の断面図である。
【図３】図１の電力用変圧器の一つの相の切断線３−３に沿って得られた断面図である。
【図４】電力用変圧器、タップスイッチ、及び本発明によるオンライン診断業務を行いための試験測定システムを含んだ例示的な電力システムを示す。
【図５】接地されたブッシングタップを変圧器に給電されたときに抵抗に切り替えための例示的タップスイッチの線図でありＳＷ１が閉じられＳＷ２が開かれたことを示している。
【図６】接地されたブッシングタップを変圧器に給電されたときに抵抗に切り替えための例示的タップスイッチの線図でありＳＷ２が閉じられＳＷ１が開かれたことを示している。
【図７】本発明により電力用変圧器の各相内に取り付けられたタップスイッチを使用してオンラインで診断業務を行うための例示的な方法を示す流れ図である。
【図１】
2005501263.tif 000003
【図２】
2005501263.tif 000004
【図３】
2005501263.tif 000005
【図４】
2005501263.tif 000006
【図５】
2005501263.tif 000007
【図６】
2005501263.tif 000008
【図７】
2005501263.tif 000009
【国際公開パンフレット】
2005501263.tif 000010
2005501263.tif 000011
2005501263.tif 000012
2005501263.tif 000013
2005501263.tif 000014
2005501263.tif 000015
2005501263.tif 000016
2005501263.tif 000017
2005501263.tif 000018
2005501263.tif 000019
2005501263.tif 000020
2005501263.tif 000021
2005501263.tif 000022
2005501263.tif 000023
2005501263.tif 000024
2005501263.tif 000025
2005501263.tif 000026
2005501263.tif 000027
2005501263.tif 000028
2005501263.tif 000029
2005501263.tif 000030
2005501263.tif 000031
2005501263.tif 000032
【国際調査報告】
2005501263.tif 000033